(57)【特許請求の範囲】
【請求項１】
開閉扉を開閉可能に枢着する遊技機枠と、前記開閉扉の背面側に備えられ、開閉扉の厚み方向に間隔をあけて第一の透明板と第二の透明板を保持可能な透明板保持枠を含み、
前記透明板保持枠は、
前記第一の透明板を保持する第一の保持枠と、
前記第二の透明板を保持する第二の保持枠とからなり、
前記第一の保持枠と第二の保持枠との間には、
前記第一の透明板と第二の透明板を、それぞれ離間する方向へと付勢する付勢手段を備え、
前記付勢手段は、前記第一の保持枠の外方に突設して設けられた収容部と、前記第二の保持枠の外方に突設して設けられた前記収容部に嵌合される被収容部との間に介在していることを特徴とする遊技機。
【請求項２】
遊技機枠に組み込まれて透明板保持枠の背面側に備えられ、第一の透明板と第二の透明板を介して視認可能な遊技盤とを含み、
前記遊技盤は、遊技盤ベースの前面に備えられ、前記透明板保持枠方向に突出する遊技部材を含み、
第一の保持枠は、開閉扉に対向して配され、
第二の保持枠は、遊技盤に対向して配されており、
前記第二の透明板は、開閉扉を閉じた状態で前記遊技部材に当接することを特徴とする請求項１に記載の遊技機。
【請求項３】
付勢手段は、第一の保持枠と第二の保持枠をそれぞれ離間する方向に付勢する弾性部材を含むことを特徴とする請求項１又は２に記載の遊技機。
【請求項４】
第一の保持枠は、少なくとも開閉扉と対向する側に第一の透明板が接する面部を立上げ形成し、
第二の保持枠は、少なくとも遊技盤と対向する側に第二の透明板が接する面部を立ち上げ形成し、
前記第一の保持枠の面部と、該面部と接触する第一の透明板の接触領域とを接着し、
前記第二の保持枠の面部と、該面部と接触する第二の透明板の接触領域とを接着していることを特徴とする請求項１乃至３のいずれかに記載の遊技機。
【発明の詳細な説明】
【技術分野】
【０００１】
本発明は遊技機、詳しくは、開閉扉に備えられる二枚の透明板の前後方向の遊びを規制する付勢手段を備えた遊技機に関する。
【背景技術】
【０００２】
弾球遊技機（いわゆるパチンコ機）には、遊技機枠の一側面前方側に開閉扉（前面扉）を開閉可能に備えている。この開閉扉には、遊技機枠内に配置してある遊技盤を視認可能とするため、及び遊技領域を転動する遊技球が外に飛び出さないようするために、例えば円形状に設けた窓部の背面側に、例えば矩形状や円形状のガラス製の透明板（ガラス板）がその奥行き方向に二枚所定の間隔をあけて備えられている。
従来、例えばこの二枚の透明板は、透明板保持枠により開閉扉の背面側にそれぞれ遊びなく固定されている。
このように透明板が透明板保持枠により固定されるものであると、遊技機枠の個体差によって透明板と遊技盤との間の距離にばらつきが生じてしまうことがある。
このようなばらつきが生じ、ある一定の距離があいてしまうと、球詰まりの原因となったり、さらにはこのような透明板と遊技盤との間に生じた距離（隙間）は、不正遊技者の標的とされ、この隙間を狙っての針金などによる不正行為（ゴト行為ともいう）などが行われる虞がある。
さらに、この種の二枚の透明板を透明板保持枠に固定して備える従来の遊技機では、二枚の透明板の間に透明板保持枠の面部を介在し、それぞれの透明板が対向して接する前記面部の前後面領域にそれぞれ接着剤を介して二枚の透明板を背中合わせ状にそれぞれ接着していたものが知られている。
このような従来技術では、接着面にムラが生じた場合、規定幅内に寸法を保つことができず、開閉扉を閉じられないといった不都合も生じ得ていた。
【０００３】
そこで、このような固定型の透明板保持枠の問題点を改善するべく、開閉扉の扉カバーと前方側に配設した透明板との間に弾性部材を設け、開閉扉を閉じた時に、その弾性部材が前方側の透明板を保持している透明板保持枠を押圧して遊技盤方向に付勢され、その付勢力が後方側（遊技盤側）に配設した透明板に伝達されて後方側の透明板と遊技盤との間の距離を一定に保てるようにした遊技機が提案されている（特許文献１参照）。
【特許文献１】特開２００２−２２４３７２号公報
【０００４】
この特許文献１に開示の技術的手段は、付勢力により透明板と遊技盤との間の距離のばらつきを抑えるものではある。
しかし、開閉扉の前方から、弾性部材を介して前方側の透明板を付勢することで後方側の透明板に付勢力を伝達するものであるため、弾性部材に近い前方側の透明板は安定させることができるが、弾性部材から遠い後方側の透明板は、弾性部材の疲弊の影響を直ちに受け易いという問題がある。すなわち、弾性部材が疲弊すると付勢力が弱くなるため、弾性部材から遠い後方側の透明板に伝達される付勢力が極めて弱くなり、直ちに安定しなくなるという問題がある。
よって、透明板の保持に遊びが生じ、透明板と遊技盤との間の距離を長期にわたって一定に保つことが不可能になる虞がある。
【発明の開示】
【発明が解決しようとする課題】
【０００５】
本発明は、このような問題を解決するためになされており、その目的とするところは、開閉扉に備えられる二枚の透明板の前後方向の遊びを長期間安定して規制し得る付勢手段を備えた遊技機を提供することである。
【課題を解決するための手段】
【０００６】
このような目的を達成するために、第１の発明は、開閉扉２を開閉可能に枢着する遊技機枠１と、前記開閉扉２の背面側に備えられ、開閉扉２の厚み方向に間隔をあけて第一の透明板１３と第二の透明板１４を保持可能な透明板保持枠２３を含み、
前記透明板保持枠２３は、
前記第一の透明板１３を保持する第一の保持枠５０と、
前記第二の透明板１４を保持する第二の保持枠５７とからなり、
前記第一の保持枠５０と第二の保持枠５７との間には、
前記第一の透明板１３と第二の透明板１４を、それぞれ離間する方向へと付勢する付勢手段３４を備え、
前記付勢手段は、前記第一の保持枠の外方に突設して設けられた収容部と、前記第二の保持枠の外方に突設して設けられた前記収容部に嵌合される被収容部との間に介在していることを特徴とする遊技機としたことである。
【０００７】
本発明によれば、双方の透明板１３，１４に対し、それぞれ離間する方向へと付勢する付勢力を伝達する（加える）ことができる。この技術的手段を講じることにより、いずれか一方の透明板に付勢力が偏ることがないので、長期間にわたり安定して透明板１３，１４を保持することが可能となる。ひいては、長期間にわたり安定して透明板の遊びをなくし、がたつきを防止することができる。
【０００８】
第２の発明は、第１の発明において、遊技機枠１に組み込まれて透明板保持枠２３の背面側に備えられ、第一の透明板１３と第二の透明板１４を介して視認可能な遊技盤６とを含み、
前記遊技盤６は、遊技盤ベース７の前面に備えられ、前記透明板保持枠２３方向に突出する遊技部材（例えばガイドレールＬ１，Ｌ２）を含み、
第一の保持枠５０は、開閉扉２に対向して配され、
第二の保持枠５７は、遊技盤６に対向して配されており、
前記第二の透明板１４は、開閉扉２を閉じた状態で前記遊技部材（例えばガイドレールＬ１，Ｌ２）に当接することを特徴とする遊技機としたことである。
【０００９】
本発明によれば、開閉扉２を閉じた時に第二の透明板１４が遊技盤６の遊技部材（例えばガイドレールＬ１，Ｌ２）と当接されるので、透明板（第二の透明板１４）と遊技盤６との間に隙間が生じなくなる。この技術的手段によれば、従来のように、透明板のがたつきにより透明板と遊技盤との間に隙間が生じ、その隙間により生じていた盤面上の球詰まりや、針金などによる不正行為（ゴト行為ともいう）を防止することができる。
また、特許文献１に開示の技術では、透明板を遊技盤に当接させるために別途特定の部材（例えば特許文献１に開示のスペーサ部材など）を設ける必要性があるが、本発明によれば、このような特定の部材を別途設ける必要がないため部品コストを抑えることができる。
【００１０】
第３の発明は、第１又は第２の発明において、付勢手段３４は、第一の保持枠５０と第二の保持枠５７をそれぞれ離間する方向に付勢する弾性部材７６を含むことを特徴とする遊技機としたことである。
【００１１】
本発明によれば、第一の保持枠５０が弾性部材７６の弾性力により第一の透明板１３を開閉扉２側へと付勢させ、第二の保持枠５７が前記弾性部材７６の弾性力により第二の透明板１４を遊技盤６方向へと付勢させる。
【００１２】
第４の発明は、第１乃至第３の発明のいずれかにおいて、第一の保持枠５０は、少なくとも開閉扉２と対向する側に第一の透明板１３が接する面部（例えば、第二の立上げ環状枠５５の内面５５ａ）を立上げ形成し、
第二の保持枠５７は、少なくとも遊技盤６と対向する側に第二の透明板１４が接する面部（例えば、第一の立上げ環状枠６０の内面６０ａ）を立ち上げ形成し、
前記第一の保持枠５０の面部（例えば、第二の立上げ環状枠５５の内面５５ａ）と、該面部と接触する第一の透明板１３の接触領域（外面所定領域１３ｂ）とを接着し、
前記第二の保持枠５７の面部（例えば、第一の立上げ環状枠６０の内面６０ａ）と、該面部と接触する第二の透明板１４の接触領域（内面所定領域１４ｂ）とを接着していることを特徴とする遊技機としたことである。
【００１３】
本発明によれば、第一の透明板１３は、開閉扉２と対向する側に形成した第一の保持枠５０の面部（例えば、第二の立上げ環状枠５５の内面５５ａ）と接着し、第二の透明板１４は、遊技盤６と対向する側に形成した第二の保持枠５７の面部（例えば、第一の立上げ環状枠６０の内面６０ａ）と接着する構成としたため、接着面にムラができたとしても、規定幅以内に保つことができる。
これにより、透明板を接着した際の厚み誤差により、透明板（第二の透明板１４）と遊技盤６との距離が正しく確保されないとの不具合が生じることを防ぐことができる。
【発明の効果】
【００１４】
本発明によれば、開閉扉に備えられる透明板の前後方向の遊びを長期間安定して規制し得る付勢手段を備えた遊技機を提供することができた。
【発明を実施するための最良の形態】
【００１５】
以下、本発明遊技機の一実施形態について説明する。
図１乃至図８は本発明実施形態の実施例１、図９乃至図２３は本発明の実施例２を示す。
なお、本実施形態では、本発明遊技機の一例として、画像表示手段によって、遊技領域に複数種類の図柄が変動表示する演出を行う形態の弾球遊技機（以下、単に遊技機という。）を挙げて説明するが、本実施形態は本発明遊技機の一例にすぎずなんら図示した形態に限定解釈されるものではなく、その他の形態を有する遊技機、例えば封入球式遊技機なども本発明の範囲内であり、また回胴式遊技機（いわゆるパチスロ機）なども本発明の範囲内であり、本発明の範囲内で種々の遊技機に設計変更可能である。
【００１６】
すなわち、本発明は、二枚の透明板を保持するとともに、それぞれ離間する方向に付勢する付勢構造（透明板保持構造）に特徴的な構成を有しており、実施例１では、二枚の透明板を保持する保持枠に付勢力を与えることで間接的に二枚の透明板に付勢力を伝達する構成に特徴を有しており、実施例２では、二枚の透明板に直接付勢力を与える構成に特徴を有しているものである。なお、実施例１と実施例２では、付勢構造（透明板保持構造）以外にも遊技機構成部材に種々の異なる構成を有しているが、基本的な考え方として、付勢構造（透明板保持構造）以外の構成は、同一の構成であっても異なる構成であっても構わない。
【実施例１】
【００１７】
遊技機は、図１に示すように遊技場の島設備に配設される遊技機枠（本体枠ともいう。）１を含み、該遊技機枠１の前面側には図４、図５及び図８に示す遊技盤６が備えられ、該遊技機枠１の背面側、すなわち、遊技盤６の背面側には、該遊技盤６との間に所定の空間をあけて、かつ遊技盤６の遊技球転動領域Ａ１に画像による演出を表示する図示しない画像表示手段（例えば液晶表示装置（LCD:Liquid Crystal Display）など）が備えられる。なお、画像表示手段は、本実施例では特に限定解釈されず周知の画像表示手段を適用可能である。また、後述する実施例２に開示の画像表示手段１８を採用することを何等妨げるものではない。
【００１８】
遊技機枠１の側面の前面側には、図１及び図２に示すように、透光性を有する合成樹脂板やガラス板などの透明板（第一の透明板１３，第二の透明板１４）を透明板保持枠２３にセットして組み込まれ、この第一の透明板１３と第二の透明板１４を介して前記遊技盤６を視認可能にして開閉可能に枢着される開閉扉（前面扉ともいう。）２が備えられている。
また、該開閉扉２の前面側には上皿３、下皿４および図示しないハンドルが備えられている。このハンドルにあっては、遊技機に通常使用される形態のハンドルが採用可能であるが、後述する実施例２のハンドル５を採用することを何等妨げるものではない。
本実施例では、図示しないが、遊技機枠１内で画像表示手段の背面には、遊技の進行を制御する主制御基板（主制御回路）や、該主制御基板（主制御回路）からの信号に従って各演出装置（発光装置、画像表示手段，スピーカなど）を制御する副制御基板（副制御回路）などの制御装置を配した図示しない基板ベースが装着されている。
【００１９】
遊技盤６は、図４、図５及び図８に示すように、全体を透光性部材（透明・半透明の材質を含む、例えばガラス板あるいは合成樹脂板など）で形成した遊技盤ベース７の前面領域に、外側のガイドレールＬ１と、正面視左側で外側のガイドレールＬ１の内側に配され、所定の遊技球発射領域Ｄを形成する内側のガイドレールＬ２を備え、そのガイドレールＬ１，Ｌ２によって区画された表面領域には、図示は省略するが、一般入賞装置、遊技状態を大当りとするか否かの抽選処理を起動する始動領域としての始動入賞装置、大当たり遊技状態の発生に基づき、入賞口の開放動作を行うアタッカと称する特別電動役物を構成する大入賞装置、遊技球の流下に変化を与える多数の遊技釘などの遊技部材を備えて遊技球転動領域Ａ１を構成している。
ガイドレールＬ１、ガイドレールＬ２、一般入賞装置、始動入賞装置、遊技釘などの遊技部材は、それぞれ遊技盤ベース７の前面にて前方（開閉扉２方向）に向けて突出している。また、本実施例では、これら遊技部材の中でも前記ガイドレールＬ１，Ｌ２が最も開閉扉２方向に向けて突出しているものとしている。
なお、遊技盤ベースの前面に備えられ、前記透明板保持枠方向に突出する遊技部材は、上述する遊技部材に限定解釈されるものではないが、後述するように、第二の透明板１４が当接可能なものとする。
【００２０】
遊技盤ベース７は、透光性部材で形成した領域を少なくとも一部に有し、その透光性部材で形成した領域を介して裏側に配設される画像表示手段（液晶表示装置）が遊技者側から視認されることで演出効果・装飾効果などを奏し得るものであればよい。
遊技盤ベース７を形成する透光性部材は、例えば、遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂材、ポリアリレート樹脂材などが任意に選択される。また、樹脂以外の材質、例えばガラスなどを採用することも可能である。
遊技盤ベース７の全体を構成する透光性部材は無色透明とするが、有色透明部材を採用することも可能である。また仕様によっては遊技盤ベース７を無色透明部材と有色透明部材とで構成したり、遊技盤ベース７に色彩・模様を施したりすることも可能であり、前記画像表示手段（液晶表示装置）の表示に悪影響を及ぼさない範囲内で設計変更可能である。この場合、模様は無色透明の線図が好ましいが、遊技盤ベース７の裏面側に配設される画像表示手段（液晶表示装置）の構成によっては有色模様を施すことも可能である。
なお、本実施例では、透光性を有する部材で遊技盤ベース７を構成するものとしているが、本発明にあっては特に透光性を有する部材で構成されるものに限定解釈されるものではなく、透光性を有しない部材（合成樹脂製・木製など）であってもよいことは言うまでもない。
【００２１】
開閉扉２は、本実施例では、図１乃至図３及び図８に示すように、正面側（遊技者対峙側）２ａと背面側（遊技盤対峙側）２ｂに貫通する略楕円形状の窓部１２を有している。
そして、図２乃至図５及び図８に示すように、その窓部１２の内周１２ａに、円環状のパネルリング４４を取り付け固定している。
本実施例では、このパネルリング４４は、開閉扉２の窓部１２と同形状の窓部４９を有し、かつ開閉扉２の背面側２ｂ全域を覆う裏側パネル板４８によって背面側方向に抜け出ないように固定されている（図２参照）。
【００２２】
パネルリング４４は、図８に示すように、前記窓部１２の内周１２ａよりも小径の外径を有し、窓部１２の内周に固着される円環状の本体４５と、該本体４５の一端側内周から内方に向けて延設された円環状の延設片４６と、該延設片４６から延設され、略漏斗状に一体成形されている透明板当接片４７で構成されている。
すなわち、開閉扉２の閉扉状態において、前記透明板当接片４７の円環状の先端面４７ａ全域が後述する第一の透明板１３と当接する機能を有している。
なお、パネルリング４４は、本実施例では、円環状に形成しているが、特に限定解釈されるものではなく、開閉扉２の窓部１２の形状に併せて変更可能である。すなわち、窓部１２の開口形状が矩形状であれば、その形状に合わせてパネルリング４４の形状も矩形状に形成されるものとする。
【００２３】
そして、図２乃至図５及び図８に示すように、開閉扉２の背面側２ｂには、前記パネルリング４４の透明板当接片４７の先端面４７ａの外径よりも大径の開口５１を有する透明板保持枠２３を着脱可能に取り付けており、この透明板保持枠２３を介して複数枚の透明板（第一の透明板１３，第二の透明板１４）が開閉扉２の背面側２ｂに備えられている。
【００２４】
前記透明板保持枠２３は、第一の透明板１３を保持する第一の保持枠５０と、第二の透明板１４を保持する第二の保持枠５７とで構成されている（図２乃至図８参照）。
この、透明板保持枠２３によって、第一の透明板１３と第二の透明板１４とが、所定の間隔Ｓ５をあけて開閉扉２の奥行き方向に重ね合わせた状態で備えられる。
そして、透明板保持枠２３には、前記第一の保持枠５０と第二の保持枠５７との間に、第一の透明板１３と第二の透明板１４を、それぞれ離間する方向（図中、符号Ｒ１で示す方向）へと付勢する付勢手段３４を備えている。
【００２５】
第一の保持枠５０は、開閉扉２の背面側２ｂに対向して配され、前記パネルリング４４の透明板当接片４７の先端面４７ａの外径よりも大径の開口５１を一端５２ａ側に有し、少なくとも開閉扉２と対向する側に第一の透明板１３が接する面部を立上げ形成している。
具体的には、図４乃至図８に示すように、円環状に形成された本体枠５２と、該円環状の本体枠５２の一端５２ａの全周縁から内方に向けて延設した環状の第一の立上げ環状枠５３と、該第一の立上げ環状枠５３から、前記本体枠５２と平行に延設した環状の第一の延設枠５４と、該第一の延設枠５４の一端全周縁から、前記第一の立上げ環状枠５３と平行で、かつ内方に向けて延設した環状の第二の立上げ環状枠５５とで構成している。
【００２６】
このように構成していることにより、第一の保持枠５０の他端側（本体枠５２の他端側５２ｂ）は、前記開口５１よりも大径で、かつ第二の保持枠５７の外径よりも大径の開口５６を有している。
また、本実施例によれば、前記第一の延設枠５４の内面５４ａと第二の立上げ環状枠５５の内面５５ａによって区画された領域が、第一の透明板１３の配設領域Ａ６となる（図４乃至図８参照。）。
すなわち、前記第一の延設枠５４の内面５４ａに、第一の透明板１３の外周が当接するように嵌め込まれ、前記第二の立上げ環状枠５５の内面５５ａに前記第一の透明板１３の外周寄りの外面所定領域（接触領域）１３ａが当接し、前記第二の立上げ環状枠５５の内面５５ａが、第一の透明板１３の外面所定領域（接触領域）１３ａが接着固定される面部として機能する（図４乃至図８参照。）。
【００２７】
第二の保持枠５７は、遊技盤６の前面６ａ側に対向して配され、前記ガイドレールＬ１の外周よりも大径の開口５８を一端５９ａ側に有し、少なくとも遊技盤６と対向する側に第二の透明板１４が接する面部を立ち上げ形成している。
具体的には、図４乃至図８に示すように、前記第一の保持枠５０の本体枠５２の内径よりも小径の円環状に形成された本体枠５９と、該円環状の本体枠５９の一端５９ａの全周縁から、内方に向けて延設した環状の第一の立上げ環状枠６０と、該第一の立上げ環状枠６０から、前記本体枠５９と平行に延設した環状の第一の延設枠６１とで構成している。
また、第二の保持枠５７の本体枠５９の内径と、前記第一の保持枠５０の第一の延設枠５４の内径とは、本実施例では同一径に形成されている。
【００２８】
このように構成していることにより、第二の保持枠５７の他端側（本体枠５９の他端側５９ｂ）は、前記開口５８よりも大径で、かつ第一の保持枠５０の本体枠５２の内径よりも小径の開口６２を有している。
また、本実施例によれば、前記本体枠５９の内面５９ｃと第一の立上げ環状枠６０の内面６０ａによって区画された領域が、第二の透明板１４の配設領域Ａ７となる（図４乃至図８参照。）。
すなわち、前記本体枠５９の内面５９ｃに、第二の透明板１４の外周が当接するように嵌め込まれ、前記第一の立上げ環状枠６０の内面６０ａに前記第二の透明板１４の外周寄りの内面所定領域（接触領域）１４ｂが当接し、前記第一の立上げ環状枠６０の内面６０ａが第二の透明板１４の内面所定領域（接触領域）１４ｂが接着固定される面部として機能する（図４乃至図８参照。）。
さらに、本実施例では、前記第一の延設枠６１の先端面６１ａは、開閉扉２の閉扉状態において、遊技盤ベース７の前面７ａ下方領域に形成されている突起６ｂに当接するようにも構成されている（図４参照。）。
【００２９】
前記第一の透明板１３と第二の透明板１４は、本実施例では、前記第一の保持枠５０に形成された第一の透明板１３の配設領域Ａ６と、第二の保持枠５７に形成された第二の透明板１４の配設領域Ａ７にそれぞれ嵌め込み可能な大きさの略円板状に形成されており、一部に平坦状の外周領域１３ａ，１４ａを有している。また、本実施例では、第一の透明板１３と第二の透明板１４は同一の形状・大きさを有している。なお、本実施例では、第一の透明板１３と第二の透明板１４の双方ともガラス板を想定している。
第一の透明板１３，第二の透明板１４は、透光性を有する材質からなるものであれば合成樹脂板などでもよく、本発明の範囲内で設計変更可能である。
【００３０】
付勢手段３４は、図３、図６及び図７に示すように、本実施例によれば、第一の保持枠５０側に備えられている嵌合筒部６３と、第二の保持枠５７側に備えられている被嵌合筒部６７と、前記嵌合筒部６３と被嵌合筒部６７との間に介在され、それぞれ離間する方向（図中、符号Ｒ１で示す方向）に付勢する弾性部材７６とで構成されている。
本実施例では、周方向に略等間隔で四箇所設けている。以下、付勢手段３４について説明するが、四箇所ともにすべて同一構成であるため、一箇所のみを説明し、その他の説明は省略する。
【００３１】
嵌合筒部６３は、第一の保持枠５０の本体枠５２の外周５２ｄに円弧状に膨出して形成された中空状の筒部本体６４と、該筒部本体６４の中空内部６５に形成された芯部６６とで構成されている。
【００３２】
筒部本体６４は、本体枠５２の一端５２ａ側に面した筒端部領域Ａ８を閉塞するとともに、本体枠５２の他端５２ｂ側に面した筒端部領域Ａ９を開口し、かつ本体枠５２の内周５２ｃに面した領域Ａ１０を切欠いて内部を露呈している。
【００３３】
芯部６６は、前記筒部本体６４の閉塞されている筒部端部領域Ａ８から、開口されている筒部端部領域Ａ９に向けて円筒状に形成されるとともに、その芯部６６の周囲には、筒部本体６４の内周との間、及び本体枠５２の内周に面した切り欠かれた領域Ａ１０との間に、所定の空間Ｓ６を形成している。
そして、この空間Ｓ６に、弾性部材７６の一端７６ａが収容される。
【００３４】
被嵌合筒部６７は、第二の保持枠５７の本体枠５９の外周５９ｄに円弧状に膨出して形成された中空状の第一筒部６８と、該第一筒部６８の中空内部６９に形成された第二筒部７０とで構成されている。
【００３５】
第一筒部６８は、本体枠５９の他端５９ｂ側に面した筒端部領域Ａ１１を閉塞するとともに、本体枠５９の一端５９ａ側に面した筒端部領域Ａ１２を開口している。この第一筒部６８の外径は、前記嵌合筒部６３の筒部本体６４の内径よりも小径に形成され、嵌合筒部６３内に第一筒部６８がスライド可能に収容される。
第二筒部７０は、前記第一筒部６８の閉塞されている筒部端部領域Ａ１１から、開口されている筒部端部領域Ａ１２に向けて円筒状に形成されるとともに、その第二筒部７０の周囲には、第一筒部６８の内周との間に所定の空間Ｓ７を形成している。また、第二筒部７０は、先端７１と後端７３とにわたって連通する挿通孔７５が設けられており、この挿通孔７５は、前記芯部６６が挿通可能な径に形成されている。従って、この先端７１と後端７３には、それぞれ開口７２と７４が形成されている。
そして、前記空間Ｓ７に、弾性部材７６の他端７６ｂが収容される。
【００３６】
弾性部材７６は、所定長さのコイルスプリングが本実施例では想定されており、第一の保持枠５０の嵌合筒部６３と、第二の保持枠５７の被嵌合筒部６７を嵌め合わせた時に、一端７６ａが嵌合筒部６３の閉塞されている筒部端部領域Ａ８に当接するとともに、他端７６ｂが第一筒部６８の閉塞されている筒部端部領域Ａ１１に当接する。
そして、第一の保持枠５０と第二の保持枠５７とを組み合わせた時、弾性部材７６は常に圧縮されて嵌合筒部６３と被嵌合筒部６７を離間する方向（図中、符号Ｒ１で示す方向）に付勢するようにしている。
【００３７】
従って、透明板保持枠２３と第一の透明板１３及び第二の透明板１４と付勢手段３４との関係は次の通りである。
【００３８】
第一の保持枠５０の第二の立上げ環状枠５５の内面５５ａに、第一の透明板１３の外面所定領域（接触領域）１３ａを接着固定して、第一の保持枠５０に第一の透明板１３を一体的に配設する。
また、第二の保持枠５７の第一の立上げ環状枠６０の内面６０ａに、第二の透明板１４の内面所定領域（接触領域）１４ｂを接着固定して、第二の保持枠５７に第二の透明板１４を一体的に配設する。
本実施例では、接着固定する材料として、例えばシリコン樹脂等を想定している。
【００３９】
そして、第一の透明板１３を配設した第一の保持枠５０と、第二の透明板１４を配設した第二の保持枠５７を、それぞれに配設した透明板１３，１４同士を向かい合わせた状態で組み合わせる。
このとき、第二の保持枠５７の本体枠５９の外周５９ｄが、第一の保持枠５０の本体枠５２の内周５２ｃ上をスライド可能に配設されるように、第一の保持枠５０内に第二の保持枠５７を組み込み配設する。
【００４０】
そして、第一の保持枠５０と第二の保持枠５７の四箇所に設けられているそれぞれの嵌合筒部６３と被嵌合筒部６７との間に弾性部材７６を収容するとともに、嵌合筒部６３の芯部６６を被嵌合筒部６７の第二筒部７０の挿通孔７５内にスライド可能に挿通する。
そして、弾性部材７６を圧縮させつつ、前記芯部６６を挿通孔７５内から後端７３の開口７４を介して外方に突出させ、そして、その突出した芯部６６の外周にワッシャ７７を嵌め込んで固定する（図６及び図７参照。）。
【００４１】
このように構成することにより、透明板保持枠２３と二枚の透明板１３，１４と付勢手段３４は一つのユニットとして構成され、前記弾性部材７６は、常時、嵌合筒部６３と被嵌合筒部６７をそれぞれ離間する方向（図中、符号Ｒ１で示す方向）へと付勢するように組み込まれ、この付勢力によって、第一の保持枠５０と第二の保持枠５７が離間する方向（図中、符号Ｒ１で示す方向）に付勢される。
従って、前記付勢力は、第一の保持枠５０に接着固定されている第一の透明板１３と第二の保持枠５７に接着固定されている第二の透明板１４に及び、それぞれを離間する方向（図中、符号Ｒ１で示す方向）に付勢することとなる。
【００４２】
そして、このようにユニット化された後、開閉扉２の背面側２ｂに取り付け固定されると、第一の透明板１３と第二の透明板１４は、前記透明板保持枠２３を介して、前記開閉扉２の厚み方向（図中、符号Ｒ２で示す方向）に間隔Ｓ５をあけて保持される。
そして、開閉扉２を閉じた状態（閉扉状態）では、前記第一の透明板１３は、前記パネルリング４４の透明板当接片４７の円環状の先端面４７ａ全域と当接するとともに、前記第二の透明板１４は、前記遊技部材を構成しているガイドレールＬ１、ガイドレールＬ２に当接する（図４、図５及び図８参照。）。
このとき、第一の透明板１３と第二の透明板１４は、それぞれ付勢手段３４を構成している弾性部材７６の付勢力により、開閉扉２方向と遊技盤６方向（図中、符号Ｒ１で示す離間する方向）に付勢され、パネルリング４４とガイドレールＬ１、ガイドレールＬ２に押し付けられている。よって、第一の透明板１３と第二の透明板１４のがたつきは、前記構成を採用したことによって防止される。
なお、本実施例では、透明板保持枠２３を構成する第一の保持枠５０と第二の保持枠５７を、それぞれ略円板状に形成された第一の透明板１３と第二の透明板１４を保持するために、略円環状に形成された構成をもって説明したが、本発明はこれに限定解釈されるものではなく、例えば第一の透明板１３と第二の透明板１４をそれぞれ矩形状に形成されてなるものである場合、第一の保持枠５０と第二の保持枠５７を、それぞれ矩形状に形成されてなるものとすることも可能で本発明の範囲内である。
また、付勢手段３４を構成する嵌合筒部６３と被嵌合筒部６７、これらに収容される弾性部材７６を、それぞれ四個ずつで構成した一例をもって説明したが、本発明はこれに限定解釈されるものではなく、五個以上で構成されるものであってもよく、あるいは三個以下で構成されるものであってもよく本発明の範囲内である。また、弾性部材もコイルスプリングに限らず、板バネなどの他のバネ部材あるいは弾性力の高いゴム部材など他の弾性部材を採用することも可能である。
さらに、第一の保持枠５０と第二の保持枠５７を、それぞれ離間する方向に付勢し、その付勢力を、第一の保持枠５０と第二の保持枠５７にそれぞれ保持させた第一の透明板１３と第二の透明板１４に伝達可能な構成であれば本実施例に限定されるものではなく本発明の範囲内で設計変更可能である。
【実施例２】
【００４３】
以下、本発明実施形態の実施例２を示す。
本実施例では、上皿３の前面側には、画像表示手段１８に変動表示される図柄の変動を、遊技者により停止操作可能な操作手段（図柄停止ボタン）２０が備えられている。
【００４４】
図中５はハンドルで、ハンドル５は、本実施例では、図９に示すように、遊技者側から見た状態で下皿４の左側（図９にて左側）に備えられており、ハンドル５の回動操作により内蔵されている図示しない遊技球発射機構（例えば発射ソレノイドなど）を操作し、遊技球を遊技盤６の遊技球転動領域Ａ１へ打ち出すものである。なお、ハンドル５は、遊技球を発射操作する場合に、遊技者側から見て時計方向に回転させる形態と、反時計方向に回転させる形態のいずれであってもよい。
このようにハンドル５を遊技機の左側に備えたことにより、操作手段（図柄停止ボタン）２０の操作が右手で行えるため、ボタン操作がし易い。また、特に左利きの遊技者にとってハンドル操作がし易くなるという利点もある。
なお、ハンドル５は、遊技者側から見た状態で右側に備えられる形態であってもよく特に限定解釈されるものではない。
【００４５】
画像表示手段（液晶表示装置）１８は、所定の可変表示開始条件が成立、例えば始動入賞装置９に遊技球が入賞し、図示しない遊技状態表示部の変動表示が開始することを開始条件として複数種類の装飾図柄１９ａ，１９ｂ，１９ｃが変動表示を開始するスロットマシンのリールの如く装飾図柄による演出表示領域を少なくとも有している（図９参照）。ただし、本発明の範囲内でその他の演出画像、例えば遊技状態に対応したアニメーションやその他の報知情報などによる演出表示領域を備えることも可能である。
また、装飾図柄１９ａ，１９ｂ，１９ｃの表示領域の大小及び形状は特に限定されず本発明の範囲内で設計変更可能である。表示領域全体の大小及び形状も任意で、本実施例のように遊技盤６全体が後述する透明な部材からなる場合には、遊技盤６全体の大きさに対応した大きい領域にわたる大きな表示領域とすることができる。
【００４６】
画像表示手段（液晶表示装置）１８に表示される装飾図柄は、例えばスロット機のリールのように左右に３列（左列装飾図柄１９ａ、中列装飾図柄１９ｂ、右列装飾図柄１９ｃ）に並んで区別され、それぞれが上から下に向かって回転するように変動表示されているリール画像で、各装飾図柄１９ａ，１９ｂ，１９ｃの列毎に複数の装飾図柄が変動表示される。表示される装飾図柄１９ａ，１９ｂ，１９ｃは、特別図柄とは異なる図柄であって、上述の通り、特別図柄の変動開始に応じて変動が開始され、特別図柄の表示結果が導出されるまでの間に、後述する操作手段２０を遊技者が操作することによって停止表示がなされる。また、装飾図柄は、３つの図柄でなくてもよく、また変動表示の態様も上下方向に限られるものではなく、横方向あるいは前後方向などでもよい。
また、本実施例では、３つの列のそれぞれの停止表示が、それぞれ１つずつ表示される実施の形態であるが、一つの列に複数、例えば３つずつ停止表示される形態などであってもよい。
【００４７】
操作手段２０は、本実施例では、三列で変動表示する画像表示手段１８の各図柄列（左列装飾図柄１９ａ、中列装飾図柄１９ｂ、右列装飾図柄１９ｃ）に応じて三箇所のボタン（左図停止ボタン２０ａ，中図停止ボタン２０ｂ，右図停止ボタン２０ｃ）が、図９に示すように、上述した上皿３の前面に横並びで備えられている。
この操作手段２０の配設個所、配設個数若しくは形状などは特に限定されるものではなく本発明の範囲内で設計変更可能である。
【００４８】
この操作手段２０は、例えば図示しない遊技制御手段（副制御基板）に電気的に接続されている。そして、左図停止ボタン２０ａが押されると左図停止信号が、中図停止ボタン２０ｂが押されると中図停止信号が、右図停止ボタン２０ｃが押されると右図停止信号がそれぞれ遊技制御手段に入力されるようになっている。すなわち、それぞれの停止信号は、それぞれが対応する図柄を停止表示させるための信号であり、これら信号を受信した遊技制御手段により、画像表示手段（液晶表示装置）１８に変動表示中の対応図柄列の図柄を停止表示させるための制御が行われる。つまり、左図停止ボタン２０ａ、中図停止ボタン２０ｂ、右図停止ボタン２０ｃは、変動表示される各装飾図柄１９（左列装飾図柄１９ａ、中列装飾図柄１９ｂ、右列装飾図柄１９ｃ）を停止させる機能を有している。
【００４９】
本実施例では、前記開閉扉２が配設される遊技機枠１の前面側上部に、該遊技機枠１上部に備えられる左右のスピーカを覆うように任意形状のカバー部材２１が配設されている。
【００５０】
遊技盤６は、例えば本実施例では、全体を透光性部材（透明部材）で形成して裏側が視認可能に構成されている略矩形状の遊技盤ベース７と、その遊技盤ベース７の四隅部に取付固定され、遊技機枠１に着脱可能に取り付けられる取付部２２を備えている形態が採用される。
【００５１】
遊技盤６は、図１０に示すように、遊技盤ベース７の前面領域に、外側のガイドレールＬ１と、正面視左側で外側のガイドレールＬ１の内側に配され、所定の遊技球発射領域Ｄを形成する内側のガイドレールＬ２を備え、そのガイドレールＬ１，Ｌ２によって区画された表面領域には、一般入賞装置８、遊技状態を大当りとするか否かの抽選処理を起動する始動領域としての始動入賞装置９、大当たり遊技状態の発生に基づき、入賞口の開放動作を行うアタッカと称する特別電動役物を構成する大入賞装置１１、遊技球の流下に変化を与える多数の遊技釘（図示省略）などの遊技部材を備えて遊技球転動領域Ａ１を構成している。
ガイドレールＬ１、ガイドレールＬ２、一般入賞装置８、始動入賞装置９、遊技釘などの遊技部材は、それぞれ遊技盤ベース７の前面にて前方（開閉扉２方向）に向けて突出している。また、本実施例では、これら遊技部材の中でも前記ガイドレールＬ１が最も開閉扉２方向に向けて突出しているものとしている。
【００５２】
以下、本実施例の透明板保持枠２３と付勢手段３４について説明するが、その他の構成で説明を省略している箇所は、上述の実施例１の構成を想定している。
【００５３】
透明板保持枠２３は、回動軸側保持部材２４と、開放側保持部材２５と、下部分側保持部材２６とで正面視略矩形枠状に構成されている。本実施例では、第一の透明板１３と第二の透明板１４を透明板保持枠に組み込む場合、開放側保持部材２５側に寄せて挿入し、第一の透明板１３と第二の透明板１４が下部分側保持部材２６に到達した後、回動軸側保持部材２４方向へと押し込む形態を採用しているため、回動軸側保持部材２４と開放側保持部材２５を次のように構成している。
【００５４】
回動軸側保持部材２４は、第一の透明板１３と第二の透明板１４をそれぞれ案内する開閉扉２の厚み方向で前後に並ぶ２条の透明板保持レール２４ａ・２４ｂを背面板内面に有し、窓部１２の縦方向開口幅Ｈ１よりも長尺状に樹脂材料をもって形成され、開閉扉２の背面で回動軸１０側に備えている。
本実施例では、背面板２８の上下位置において、背面板２８の両側から平行に突設した透明板離脱防止片２９ａ，２９ｂを備えて第一の透明板１３，第二の透明板１４の前後方向への離脱を防止する構造としている。また、本実施例では、回動軸側保持部材２４の透明板保持レール２４ａ・２４ｂの下端は開放されているが、上端、すなわち上記前後の透明板離脱防止片２９ａ，２９ｂの上端にわたって挿入阻止部３０が備えられて閉鎖されている。
【００５５】
開放側保持部材２５は、背面板３１と背面板３１の両端から平行に突設した前後の横面板３２ａ，３２ｂで断面視コの字形状に形成されており、前記透明板保持レール２４ａ・２４ｂと所定間隔をあけるとともに相対向して背面板３１内面に備えた２条の透明板保持レール２５ａ・２５ｂを有し、窓部１２の縦方向開口幅Ｈ１よりも長尺状に樹脂材料をもって形成され、開閉扉２の背面で開放側に備えている。開放側保持部材２５の透明板保持レール２５ａ・２５ｂの上端及び下端は開放されている。
そして、本実施例では、長さ方向の略中心位置に、図示しない移動補助部材を横方向に摺動可能に挿入配設する移動補助部材用貫通孔３３が外面側から内面側に貫通して設けられている。
移動補助部材は、特に本発明において必須の構成ではなく図示は省略するが、本実施例では、開放側保持部材２５に寄せた状態で上方から挿入した第一の透明板１３，第二の透明板１４を、前記回動軸側保持部材２４方向へとスライド移動（図１１で向かって右方向へ移動）させるために用いられる部材である。すなわち、移動補助部材用貫通孔３３に移動補助部材を差し込み配設し、回動軸側保持部材２４方向へと押し込むことにより、第一の透明板１３，第二の透明板１４を、前記回動軸側保持部材２４方向へとスライド移動（図１１で向かって右方向へ移動）させる任意の構造であればよい。例えば、特開2006-230525号公報に開示の構造が採用可能であるがこれに限定はされない。
【００５６】
下部分側保持部材２６は、前記透明板保持レール２４ａ・２４ｂの下端及び透明板保持レール２５ａ・２５ｂの下端と連通状に位置させた２条の透明板保持レール２６ａ・２６ｂを有し、窓部１２の下部分側に備えている。
また、下部分側保持部材２６は、窓部１２の横方向開口幅Ｗ１よりも長尺状に形成されており、該夫々の透明板保持レール２６ａ，２６ｂの左右端部は左右方向に向けて開放されている。
【００５７】
そして、透明板保持枠２３の上部分（図１１及び図１２にて、透明板保持枠２３の裏側から見て正面視上側）を開放することにより、透明板１３，１４を上方から挿入する透明板挿入可能部２７を構成している。
図１１に示すように、前記回動軸側保持部材２４の内面側と開放側保持部材２５の内面側の間隔Ｓ１は、前記透明板挿入可能部２７の開放側に寄せた状態で上方から挿入した第一の透明板１３，第二の透明板１４を、前記回動軸１０側に移動（図１１で向かって右方向へ移動）させることによって透明板取付位置４３に取り付けるための移動空間Ｓ２を確保して構成されている。
すなわち、回動軸側保持部材２４の内面側と開放側保持部材２５の内面側の間隔Ｓ１は、挿入される第一の透明板１３，第二の透明板１４の横幅Ｗ２よりも大きく構成されている（図１２参照）。
【００５８】
回動軸側保持部材２４の上端内面領域Ａ２と下端内面領域Ａ３、開放側保持部材２５の上端内面領域Ａ４と下端内面領域Ａ５には、それぞれ挿入された第一の透明板１３，第二の透明板１４をそれぞれ離間する方向へと付勢して保持する付勢手段３４を備えている。
以下、始めに開放側保持部材２５に備えられる付勢手段３４を説明し、次に回動軸側保持部材２４に備えられる付勢手段３４について説明する。
【００５９】
図１３乃至図１７には、開放側保持部材２５に備えられる付勢手段３４を示す。
開放側保持部材２５に備えられる付勢手段３４は、第一の透明板１３を開閉扉２の前方に向けて押圧する（開閉扉２の厚み方向に移動可能）第一の伝達部材３５と、第二の透明板１４を開閉扉２の後方に向けて押圧する（開閉扉２の厚み方向に移動可能）第二の伝達部材３６と、第一の伝達部材３５と第二の伝達部材３６をそれぞれスライド可能に支持する支持部材３９と、支持部材３９に備えられ、第一の伝達部材３５と第二の伝達部材３６との間に配設される弾性部材４２とで構成されている。
付勢手段３４は、前後の横面板３２ａ，３２ｂを備えた上端内面領域Ａ４と下端内面領域Ａ５に備えられている。なお、上端内面領域Ａ４と下端内面領域Ａ５に備えられている付勢手段３４は同一構成であるため、ここでは上端内面領域Ａ４に備えられる付勢手段３４についてのみ説明し、下端内面領域Ａ５に備えられる付勢手段３４についての説明は省略する。
【００６０】
第一の伝達部材３５と第二の伝達部材３６は同一の構成であり、図１３乃至図１７に示すように、平板状に形成され、挿通孔３７ａを有する摺動部３７と、その摺動部３７の下端側で水平方向に突設する押圧部３８で構成されている。
【００６１】
押圧部３８は、摺動部３７の下端から下り傾斜状に延設した曲面部３８ａと、その曲面部３８ａの下端から鉛直方向で平坦状に延設した押圧平坦面３８ｂで構成されている。曲面部３８ａは、上方から挿入した第一の透明板１３や第二の透明板１４を押圧平坦面３８ｂへと案内するためのガイドとして機能し、押圧平坦面３８ｂは、曲面部３８ａによって案内された第一の透明板１３や第二の透明板１４を、横面板３２ａ，３２ｂとの間で押圧して保持する機能を有する。
【００６２】
また、摺動部３７は支持筒部３９ｄの外面をスライド移動する際に滑らかに移動し得る材質を選択するのが好ましく、また押圧部３８は上方から挿入される第一の透明板１３や第二の透明板１４を押圧平坦面３８ｂへと案内する際に、滑らかに案内し得る材質を選択するのが好ましい。
上述した曲面部３８ａ構造は、上方から挿入される第一の透明板１３（第二の透明板１４）が、付勢力の掛かっている第一の伝達部材３５（第二の伝達部材３６）を付勢力の掛かっている方向（矢印Ｚ１方向あるいはＺ２方向）と反対の方向へと押圧しながら挿入する必要があることから任意の構造ではあるが必要性の高い構造の一つである。
【００６３】
支持部材３９は、開放側保持部材２５の上端内面領域Ａ４の背面板３１内面に固定される矩形板状の第一の固定板部３９ａと、第一の固定板部３９ａの一端部から直交方向に延設される矩形板状の第二の固定板部３９ｂと、第一の固定板部３９ａの他端部から直交方向に延設され、第二の固定板部３９ｂとの間に平行な所定の隙間を形成する矩形板状の第三の固定板部３９ｃと、第二の固定板部３９ｂと第三の固定板部３９ｃの間にわたって着脱可能に掛け渡される円筒状の支持筒部３９ｄとで構成されている。
第二の固定板部３９ｂと第三の固定板部３９ｃには、それぞれ同一軸上に支持筒部３９ｄを取り付け固定する孔部３９ｅ，３９ｅが貫通されている。
また、第二の固定板部３９ｂと第三の固定板部３９ｃとの外面３９ｆ，３９ｆ間の距離Ｓ３は、開放側保持部材２５の横面板３２ａ，３２ｂの内面間の距離Ｓ４よりも短く、少なくとも、それぞれの外面３９ｆ，３９ｆと横面板３２ａ，３２ｂとの間に上方から挿入される第一の透明板１３と第二の透明板１４の挿通空間が形成されるものとする。
【００６４】
第一の固定板部３９ａは、上端内面領域Ａ４の背面板３１内面に固定可能な強度を有するものであれば、その厚み・形状などは特に限定されず任意である。また、第二の固定板部３９ｂと第三の固定板部３９ｃは、第一の伝達部材３５と第二の伝達部材３６を支持し、かつ上方からの第一の透明板１３と第二の透明板１４の押し込み時における押圧力に耐え得るものであればその厚み・形状等は特に限定されず任意である。
【００６５】
支持筒部３９ｄは、第一の伝達部材３５と第二の伝達部材３６のそれぞれの挿通孔３７ａ，３７ａの内径よりも僅かに小径の外径を有し、かつ内部に筒軸方向に連通するネジ孔３９ｇを有している円筒状に形成されている。また、第一の伝達部材３５や第二の伝達部材３６を滑らかにスライド移動し得る材質を選択するのが好ましい。支持筒部３９ｄにあっても、第一の伝達部材３５と第二の伝達部材３６を支持し、かつ上方向からの第一の透明板１３と第二の透明板１４の押し込み時における押圧力に耐え得るものであればその厚み・形状等は特に限定されず任意である。また、第一の伝達部材３５や第二の伝達部材３６に備えられる挿通孔３７ａ，３７ａを角孔とすれば、支持筒部３９ｄの外面形状も角筒形状とすることができ、第一の伝達部材３５や第二の伝達部材３６を滑らかにスライド移動し得る形状・材質であれば特に問題はない。
【００６６】
図中４０は、支持部材３９の第二の固定板部３９ｂと第三の固定板部３９ｃに設けた孔部３９ｅ，３９ｅと、支持筒部３９ｄのネジ孔３９ｇを連通させて、第二の固定板部３９ｂと第三の固定板部３９ｃとの間に支持筒部３９ｄを取り付け固定するネジ部材、４１はナットである。ワッシャについては図示省略する。
【００６７】
弾性部材４２は、例えば本実施例では、支持部材３９の支持筒部３９ｄの外面に遊びを持って備えられ、支持筒部３９ｄの長さ方向に伸縮可能なコイルスプリングが採用されている。
【００６８】
従って、支持筒部３９ｄの外面に、それぞれの挿通孔３７ａ，３７ａを介して第一の伝達部材３５と第二の伝達部材３６をそれぞれ背面同士を対向させて配設するとともに、第一の伝達部材３５と第二の伝達部材３６の間に弾性部材４２を配設する。そして、支持筒部３９ｄの外面に第一の伝達部材３５、弾性部材４２、第二の伝達部材３６の並びで配設した状態で支持部材３９の第二の固定板部３９ｂと第三の固定板部３９ｃとの間に位置させ、ネジ部材４０とナット４１を介して一体的に構成する（ユニット化する）。
このようにユニット化したことにより、第一の伝達部材３５と第二の伝達部材３６は、弾性部材４２によってそれぞれ離間する方向（図１３乃至図１６において、符号Ｚ１，Ｚ２で示す矢印方向）に付勢されることとなる。
なお、弾性部材４２は、本実施例ではコイルスプリングが採用されているが、第一の伝達部材３５と第二の伝達部材３６をそれぞれＺ１，Ｚ２方向に付勢し得るものであればこれに限定解釈されるものではなく本発明の範囲内で設計変更可能である。
【００６９】
図１８乃至図２２には回動軸側保持部材２４に備えられる付勢手段３４を示す。
回動軸側保持部材２４に備えられる付勢手段３４は、第一の透明板１３を開閉扉２の前方に向けて押圧する（開閉扉２の厚み方向に移動可能）第一の伝達部材３５と、第二の透明板１４を開閉扉２の後方に向けて押圧する（開閉扉２の厚み方向に移動可能）第二の伝達部材３６と、第一の伝達部材３５と第二の伝達部材３６をそれぞれスライド可能に支持する支持部材３９と、支持部材３９に備えられ、第一の伝達部材３５と第二の伝達部材３６との間に配設される弾性部材４２とで構成されている。
付勢手段３４は、前後の透明板離脱防止片２９ａ，２９ｂを備えた上端内面領域Ａ２と下端内面領域Ａ３に備えられている。なお、上端内面領域Ａ２と下端内面領域Ａ３に備えられている付勢手段３４は同一構成であるため、ここでは上端内面領域Ａ２に備えられる付勢手段３４についてのみ説明し、下端内面領域Ａ３に備えられる付勢手段３４についての説明は省略する。
【００７０】
第一の伝達部材３５と第二の伝達部材３６は同一の構成であり、図１８乃至図２２に示すように、平板状に形成され、挿通孔３７ａを有する摺動部３７と、その摺動部３７の下端側で水平方向に突設する押圧部３８で構成されている。
押圧部３８は、摺動部３７の下端から水平方向に延設した延設部３８ｃと、その延設部３８ｃの下端から鉛直方向で平坦状に延設した押圧平坦面３８ｂで構成されている。
また、押圧部３８の前記押圧平坦面３８ｂと連続する一側面には緩やかな曲面をもって形成される曲面部３８ｄを備えている。
【００７１】
前記曲面部３８ｄは、開放側保持部材２５の方向から下部分側保持部材２６の透明板保持レール２６ａ，２６ｂに沿って横方向からスライド移動してきた第一の透明板１３と第二の透明板１４を、それぞれの押圧平坦面３８ｂと透明板離脱防止片２９ａ，２９ｂとの間に挿入案内するためのガイドとして機能し、押圧平坦面３８ｂは、曲面部３８ｄによって案内された第一の透明板１３や第二の透明板１４を、透明板離脱防止片２９ａ，２９ｂとの間で押圧して保持する機能を有する。
また、摺動部３７は支持筒部３９ｄの外面をスライド移動する際に滑らかに移動し得る材質を選択するのが好ましく、また押圧部３８は上方から挿入される第一の透明板１３や第二の透明板１４を押圧平坦面３８ｂへと案内する際に、滑らかに案内し得る材質を選択するのが好ましい。
上述した曲面部３８ｄ構造は、横方向から挿入される第一の透明板１３（第二の透明板１４）が、付勢力の掛かっている第一の伝達部材３５（第二の伝達部材３６）を付勢力の掛かっている方向（矢印Ｚ１方向あるいはＺ２方向）と反対の方向へと押圧しながら挿入する必要があることから任意の構造ではあるが必要性の高い構造の一つである。
【００７２】
支持部材３９は、回動軸側保持部材２４の上端内面領域Ａ２の背面板２８内面に固定される矩形板状の第一の固定板部３９ａと、第一の固定板部３９ａの一端部から直交方向に延設される矩形板状の第二の固定板部３９ｂと、第一の固定板部３９ａの他端部から直交方向に延設され、第二の固定板部３９ｂとの間に平行な所定の隙間を形成する矩形板状の第三の固定板部３９ｃと、第二の固定板部３９ｂと第三の固定板部３９ｃの間にわたって着脱可能に掛け渡される円筒状の支持筒部３９ｄとで構成されている。
第二の固定板部３９ｂと第三の固定板部３９ｃには、それぞれ同一軸上に支持筒部３９ｄを取り付け固定する孔部３９ｅ，３９ｅが貫通されている。
また、第二の固定板部３９ｂと第三の固定板部３９ｃとの外面３９ｆ，３９ｆ間の距離Ｓ３は、回動軸保持部材２４の透明板離脱防止片２９ａ，２９ｂの内面間の距離Ｓ４よりも短く、少なくとも、それぞれの外面３９ｆ，３９ｆと透明板離脱防止片２９ａ，２９ｂとの間に横方向から挿入される第一の透明板１３と第二の透明板１４の挿通空間が形成されるものとする。
【００７３】
第一の固定板部３９ａは、上端内面領域Ａ２の背面板２８内面に固定可能な強度を有するものであれば、その厚み・形状などは特に限定されず任意である。また、第二の固定板部３９ｂと第三の固定板部３９ｃは、第一の伝達部材３５と第二の伝達部材３６を支持し、かつ横方向からの第一の透明板１３と第二の透明板１４の押し込み時における押圧力に耐え得るものであればその厚み・形状等は特に限定されず任意である。
【００７４】
支持筒部３９ｄは、第一の伝達部材３５と第二の伝達部材３６のそれぞれの挿通孔３７ａ，３７ａの内径よりも僅かに小径の外径を有し、かつ内部に筒軸方向に連通するネジ孔３９ｇを有している円筒状に形成されている。また、第一の伝達部材３５や第二の伝達部材３６を滑らかにスライド移動し得る材質を選択するのが好ましい。支持筒部３９ｄにあっても、第一の伝達部材３５と第二の伝達部材３６を支持し、かつ横方向からの第一の透明板１３と第二の透明板１４の押し込み時における押圧力に耐え得るものであればその厚み・形状等は特に限定されず任意である。また、第一の伝達部材３５や第二の伝達部材３６に備えられる挿通孔３７ａ，３７ａを角孔とすれば、支持筒部３９ｄの外面形状も角筒形状とすることができ、第一の伝達部材３５や第二の伝達部材３６を滑らかにスライド移動し得る形状・材質であれば特に問題はない。
【００７５】
図中４０は、支持部材３９の第二の固定板部３９ｂと第三の固定板部３９ｃに設けた孔部３９ｅ，３９ｅと、支持筒部３９ｄのネジ孔３９ｇを連通させて、第二の固定板部３９ｂと第三の固定板部３９ｃとの間に支持筒部３９ｄを取り付け固定するネジ部材、４１はナットである。ワッシャについては図示省略する。
【００７６】
弾性部材４２は、例えば本実施例では、支持部材３９の支持筒部３９ｄの外面に遊びを持って備えられ、支持筒部３９ｄの長さ方向に伸縮可能なコイルスプリングが採用されている。
【００７７】
従って、支持筒部３９ｄの外面に、それぞれの挿通孔３７ａ，３７ａを介して第一の伝達部材３５と第二の伝達部材３６をそれぞれ背面同士を対向させて配設するとともに、第一の伝達部材３５と第二の伝達部材３６の間に弾性部材４２を配設する。そして、支持筒部３９ｄの外面に第一の伝達部材３５、弾性部材４２、第二の伝達部材３６の並びで配設した状態で支持部材３９の第二の固定板部３９ｂと第三の固定板部３９ｃとの間に位置させ、ネジ部材４０とナット４１を介して一体的に構成する（ユニット化する）。
このようにユニット化したことにより、第一の伝達部材３５と第二の伝達部材３６は、弾性部材４２によってそれぞれ離間する方向（図１８乃至図２１において、符号Ｚ１，Ｚ２で示す矢印方向）に付勢されることとなる。
なお、弾性部材４２は、本実施例ではコイルスプリングが採用されているが、第一の伝達部材３５と第二の伝達部材３６をそれぞれＺ１，Ｚ２方向に付勢し得るものであればこれに限定解釈されるものではなく本発明の範囲内で設計変更可能である。
【００７８】
このように構成されることにより、開放側保持部材２５と回動軸側保持部材２４のそれぞれの上端部（上端内面領域Ａ４，Ａ２）と下端部（下端内面領域Ａ５，Ａ３）には、それぞれ第一の透明板１３と第二の透明板１４を離間する方向に付勢する付勢手段３４が備えられる。
従って、本実施例によれば、次のような作用効果を奏する。
【００７９】
第一の透明板１３と第二の透明板１４の嵌め込み作業にあっては、必然的に挿入阻止部３０を避けて、該挿入阻止部３０の分だけ回動軸１０側から離れた位置に開放されている透明板挿入可能部２７から第一の透明板１３と第二の透明板１４の嵌め込み作業を行うこととなる。
【００８０】
まず、第一の透明板１３と第二の透明板１４を透明板挿入可能部２７の上方から挿入すると、第一の透明板１３と第二の透明板１４の下端が、開放側保持部材２５の上端内面領域Ａ４に備えた付勢手段３４の曲面部３８ａ，３８ａに沿って押圧平坦面３８ｂ，３８ｂの方向へと案内される。
【００８１】
そして、その押圧平坦面３８ｂ，３８ｂに掛かる付勢力に抗して第一の透明板１３と第二の透明板１４を押し込めば、第一の伝達部材３５と第二の伝達部材３６が付勢力の掛かっている方向（矢印Ｚ１方向あるいはＺ２方向）と反対の方向へと押圧されるとともに、押圧平坦面３８ｂ，３８ｂと横面板３２ａ，３２ｂとの間に挿入される。
そして、そのまま第一の透明板１３と第二の透明板１４を押し込み作動すれば、下端内面領域Ａ５に備えた付勢手段３４に第一の透明板１３と第二の透明板１４の下端が到達する。そして次に、さらに押し込み作動を続ければ、上述した作用と同様の作用によって第一の透明板１３と第二の透明板１４がそれぞれの押圧平坦面３８ｂ，３８ｂと横面板３２ａ，３２ｂとの間に挿入されるとともに、下端側が下部分側保持部材２６の透明板保持レール２６ａ，２６ｂ上に当接する。すなわち、この状態では、第一の透明板１３と第二の透明板１４のそれぞれの一側の上下端領域が第一の伝達部材３５と第二の伝達部材３６によってそれぞれ離間する方向（矢印Ｚ１方向あるいはＺ２方向）、すなわち、それぞれが隣り合う横面板３２ａ，３２ｂ方向へと押圧される。
【００８２】
そして、次に図示しない移動補助部材によって回動軸側保持部材２４方向へと押圧して摺動させる。
回動軸側保持部材２４へと摺動してきた第一の透明板１３と第二の透明板１４は、その側端面が、回動軸側保持部材２４の上端内面領域Ａ４に備えた付勢手段３４の第一の伝達部材３５と第二の伝達部材３６のそれぞれの曲面部３８ｄ，３８ｄ及び、回動軸側保持部材２４の下端内面領域Ａ５に備えたそれぞれの付勢手段３４における第一の伝達部材３５と第二の伝達部材３６のそれぞれの曲面部３８ｄ，３８ｄと当接する。
【００８３】
そして、そのまま移動補助部材の押圧作動を続けると、第一の透明板１３と第二の透明板１４の側端面が、各曲面部３８ｄに沿って各押圧平坦面３８ｂの方向へと案内される。
【００８４】
そして、それぞれの押圧平坦面３８ｂに掛かる付勢力に抗して第一の透明板１３と第二の透明板１４を押し込めば、第一の伝達部材３５と第二の伝達部材３６が付勢力の掛かっている方向（矢印Ｚ１方向あるいはＺ２方向）と反対の方向へと押圧されるとともに、各押圧平坦面３８ｂと各透明板離脱防止片２９ａ，２９ｂとの間に第一の透明板１３と第二の透明板１４がそれぞれ挿入される。
これにより、第一の透明板１３と第二の透明板１４のそれぞれの一側の上下端領域が、第一の伝達部材３５と第二の伝達部材３６によってそれぞれ離間する方向（矢印Ｚ１方向あるいはＺ２方向）、すなわち、それぞれが隣り合う透明板離脱防止片２９ａ，２９ｂ方向へと押圧される。
このとき、開放側保持部材２５に備えた付勢手段３４によって押圧保持されている第一の透明板１３と第二の透明板１４は、先に上方から挿入して押圧保持された状態から、回動軸１０側に多少寄った状態で押圧保持されている（図１６参照。）。
このように構成したため、本実施例によれば、長期間にわたって安定して透明板１３，１４を保持することが可能となり、ひいては長期間安定して透明板のがたつきを防止することができる。
【００８５】
このように付勢手段３４によって第一の透明板１３と第二の透明板１４が離間する方向に押圧保持された状態の開閉扉２を閉じた時には、遊技機枠１側に組み込まれている遊技盤６の所定の遊技部材、例えば外側のガイドレールＬ１と第二の透明板１４が当接する（図２３参照。）。
また、本実施例によれば、開閉扉２を閉じた時の第二の透明板１４の奥行き方向の位置と、遊技盤６の外側のガイドレールＬ１の奥行き方向の位置を調整している。すなわち、第二の透明板１４の位置よりもガイドレールＬ１の位置の方が開閉扉２方向にあるように設定するか、若しくは同一平面上にあるように設定する。
このように設定していることにより、外側のガイドレールＬ１と第二の透明板１４が当接したときには、外側のガイドレールＬ１が第二の透明板１４を開閉扉２方向に付勢する。また、付勢された第二の透明板１４は弾性部材４２によって遊技盤６方向に戻ろうとするため、第二の透明板１４と外側のガイドレールＬ１とは緊密に密着することとなる（図２３参照。）。従って、第二の透明板１４とガイドレールＬ１との間に隙間が生じるような事態が生じなくなるため、透明板と遊技盤との間に隙間が生じることによる弊害、例えば盤面上の球詰まりや、針金などを使用しての不正行為（ゴト行為ともいう。）を防止することができる。
また、本実施例によれば、付勢力が直接透明板に作用するので安定して透明板を保持することが可能である。
【００８６】
本実施例では、回動軸側保持部材２４の上下端領域Ａ２，Ａ３と開放側保持部材２５の上下端領域Ａ４，Ａ５に、それぞれ付勢手段３４を１つずつ備えた一形態を示すが、それぞれの領域に備えられる付勢手段３４は１つには限られず、複数個備えることも可能で、また付勢手段３４は、回動軸側保持部材２４と開放側保持部材２５の任意の箇所を選択して備えることも可能で本発明の範囲内である。
なお、付勢手段３４の構成は本実施例に限定解釈されるものではなく、第一の透明板１３と第二の透明板１４を離間する方向（矢印Ｚ１方向あるいはＺ２方向）に付勢可能な構成であれば本発明の範囲内で設計変更可能である。また、第一の透明板１３と第二の透明板１４の透明板保持枠２３への組み込み方法にあっては、本実施例に限定解釈されるものではなく、第一の透明板１３と第二の透明板１４を開閉扉２の厚み方向に並設する保持枠を備える形態であれば他の周知の構成が採用可能である。
【００８７】
本実施例によれば、開閉扉の背面側に備えられ、開閉扉の厚み方向に間隔をあけて第一の透明板１３（前方透明板）と第二の透明板１４（後方透明板）を保持可能な保持部を形成した透明板保持枠２３を含み、第一の透明板１３と第二の透明板１４との間で、それぞれの透明板１３，１４に対して付勢力を伝達する付勢手段３４を備えたことを特徴とする遊技機としたため、第一の透明板１３と第二の透明板１４との間に付勢手段３４を備えたため、双方の透明板１３，１４に対し、それぞれ付勢力を伝達する（加える）ことができる。この技術的手段を講じることにより、いずれか一方の透明板に付勢力が偏ることがないので、長期間にわたり安定して透明板を保持することが可能となる。ひいては、長期間にわたり安定して透明板の遊びをなくし、がたつきを防止することができる。
【００８８】
また本実施例によれば、開閉扉２を開閉可能に枢着する遊技機枠１と、遊技盤ベース７の前面に遊技部材（例えば外側のガイドレールＬ１）を備えて遊技機枠１に組み込まれ、前記第一の透明板１３と第二の透明板１４を介して視認可能な遊技盤６とを含み、第二の透明板１４は、開閉扉２を閉じた状態で、付勢手段３４の付勢力により遊技部材（例えば外側のガイドレールＬ１）に当接することを特徴とする遊技機としたため、開閉扉２を閉じた時に第二の透明板１４が遊技盤６の遊技部材（例えば外側のガイドレールＬ１）と当接されるので、透明板（第二の透明板１４）と遊技盤６との間に隙間が生じなくなる。
この技術的手段によれば、従来のように、透明板のがたつきにより透明板と遊技盤との間に隙間が生じ、その隙間により生じていた盤面上の球詰まりや、針金などによる不正行為（ゴト行為ともいう）を防止することができる。
また、特許文献１に開示の技術では、透明板を遊技盤に当接させるために別途特定の部材（例えば特許文献１に開示のスペーサ部材など）を設ける必要性があるが、本発明によれば、このような特定の部材を別途設ける必要がないため部品コストを抑えることができる。
【００８９】
本実施例によれば、付勢手段３４は、第一の透明板１３に接触する開閉扉２の厚み方向に移動可能な第一の伝達部材３５と、第二の透明板１４に接触する開閉扉２の厚み方向に移動可能な第二の伝達部材３６と、第一の伝達部材３５と第二の伝達部材３６との間に配され、第一の伝達部材３５と第二の伝達部材３６をそれぞれ離間する方向に付勢する弾性部材４２とを含むことを特徴とする遊技機としたため、第一の伝達部材３５が弾性部材４２の弾性力により第一の透明板１３を開閉扉２の前方側へと付勢させ、第二の伝達部材３６が前記弾性部材４２の弾性力により第二の透明板１４を遊技盤６方向へと付勢させることができる。
【００９０】
本実施例によれば、透明板保持枠２３は、第一の透明板１３と第二の透明板１４をそれぞれ案内する開閉扉２の厚み方向で前後に並ぶ２条の透明板保持レール２４ａ・２４ｂ，２５ａ・２５ｂを備え、付勢手段３４は透明板保持レール２４ａ・２４ｂ，２５ａ・２５ｂの端部に備えられることを特徴とする遊技機としたため、付勢手段３４による付勢力がそれぞれの透明板１３，１４に直接作用するので、透明板保持枠２３の疲弊による影響を受け難い。従来技術のように透明板保持枠を付勢するものにあっては、透明板保持枠の疲弊によりがたつきが生じ易くなるが、本発明のように直接透明板に付勢力を作用させることにより安定して透明板を保持することが可能となる。
【図面の簡単な説明】
【００９１】
【図１】実施例１の遊技機の一例を示す概略正面斜視図である。
【図２】透明板を配設した開閉扉を背面側から見た状態の概略斜視図である。
【図３】透明板と透明板保持枠と開閉扉を分解して示す概略斜視図である。
【図４】開閉扉を閉じた状態において、第一の透明板がパネルリングに当接し、第二の透明板がガイドレールに当接している状態を示す遊技機の概略縦断側面図である。
【図５】開閉扉を閉じた状態において、第一の透明板がパネルリングに当接し、第二の透明板がガイドレールに当接している状態を示す遊技機の概略縦断側面図である。
【図６】付勢手段構成を一部断面して示す概略分解平面図である。
【図７】付勢手段構成を一部断面して示す概略平面図である。
【図８】開閉扉を閉じた状態において、第一の透明板がパネルリングに当接し、第二の透明板がガイドレールに当接している状態を平面側から見た遊技機の概略横断斜視図である。
【図９】実施例２の遊技機の一例を示す概略正面斜視図である。
【図１０】実施例２の遊技盤の概略正面斜視図である。
【図１１】実施例２における開閉扉の概略背面図である。
【図１２】背面側から見た状態の開閉扉の概略斜視図である。
【図１３】開放側保持部材に備えられる付勢手段の一実施例で、第一の透明板と第二の透明板が挿入されていない状態を示す概略縦断面図である。
【図１４】開放側保持部材に備えられる付勢手段の一実施例で、第一の透明板と第二の透明板が挿入された状態を示す概略縦断面図である。
【図１５】開放側保持部材に備えられる付勢手段の一実施例で、第一の透明板と第二の透明板が挿入されていない状態を示す概略横断面図である。
【図１６】開放側保持部材に備えられる付勢手段の一実施例で、第一の透明板と第二の透明板が挿入された状態を示す概略横断面図である。
【図１７】開放側保持部材に備えられる付勢手段の一実施例の概略を示す分解斜視図である。
【図１８】回動軸側保持部材に備えられる付勢手段の一実施例で、第一の透明板と第二の透明板が挿入されていない状態を示す概略横断面図である。
【図１９】回動軸側保持部材に備えられる付勢手段の一実施例で、第一の透明板と第二の透明板が挿入された状態を示す概略横断面図である。
【図２０】回動軸側保持部材に備えられる付勢手段の一実施例で、第一の透明板と第二の透明板が挿入されていない状態を示す概略縦断面図である。
【図２１】回動軸側保持部材に備えられる付勢手段の一実施例で、第一の透明板と第二の透明板が挿入された状態を示す概略縦断面図である。
【図２２】回動軸側保持部材に備えられる付勢手段の一実施例の概略を示す分解斜視図である。
【図２３】開閉扉を閉じたときに、第二の透明板と遊技盤の外側のガイドレールとが緊密に密着している状態を一部省略して示す概略横断面図である。
【符号の説明】
【００９２】
Ａ１  遊技球転動領域
Ａ６  第一の透明板配設領域
Ａ７  第二の透明板配設領域
Ｌ１，Ｌ２  ガイドレール（遊技部材）
Ｒ１  離間する方向
Ｒ２  開閉扉の厚み方向
Ｓ５  間隔
１  遊技機枠
２  開閉扉
２ｂ  背面側
６  遊技盤
７  遊技盤ベース
１２  窓部
１３，１４  透明板
１３ａ  外面所定領域（接触領域）
１４ａ  内面所定領域（接触領域）
２３  透明板保持枠
３４  付勢手段
７６  弾性部材
５０  第一の保持枠
５５ａ  内面（面部）
５７  第二の保持枠
６０ａ  内面（面部）
６３  嵌合筒部
６７  被嵌合筒部
【図１】
0005301187.tif 000002
【図２】
0005301187.tif 000003
【図３】
0005301187.tif 000004
【図４】
0005301187.tif 000005
【図５】
0005301187.tif 000006
【図６】
0005301187.tif 000007
【図７】
0005301187.tif 000008
【図８】
0005301187.tif 000009
【図９】
0005301187.tif 000010
【図１０】
0005301187.tif 000011
【図１１】
0005301187.tif 000012
【図１２】
0005301187.tif 000013
【図１３】
0005301187.tif 000014
【図１４】
0005301187.tif 000015
【図１５】
0005301187.tif 000016
【図１６】
0005301187.tif 000017
【図１７】
0005301187.tif 000018
【図１８】
0005301187.tif 000019
【図１９】
0005301187.tif 000020
【図２０】
0005301187.tif 000021
【図２１】
0005301187.tif 000022
【図２２】
0005301187.tif 000023
【図２３】
0005301187.tif 000024